(57)【要約】【課題】被梱包物と外装箱の間に間隔を設けるスペーサーを、少ない材料で構成する。【解決手段】外前面板３、側面板４，５及び背面板６を連設した外枠体１と、内前面板１３、端面板１４，１６及び底面板１７を連設した内枠体２とを、連結片２２を介して連結し、外枠体１と内枠体２とを、巻き込むように折り曲げつつ、連結片２２の斜折線２３を軸に相対回転させ、外前面板３と内前面板１３とを段目が交差するように重ねて前壁２４を構成し、前壁２４の背後に底面板１７が位置すると共に、底面板１７の背後に背面板６が位置するように保形した段ボール製スペーサーにおいて、前記連結片２２を、背面板６と内前面板１３とを繋ぎ、外枠体１と内枠体２の側縁に対して傾斜した２本の斜折線２３に挟まれたものとする。【選択図】図４
2012214247.tif 000002
【特許請求の範囲】
【請求項１】
外前面板(3)、側面板(4,5)及び背面板(6)を連設した外枠体(1)と、内前面板(13)、端面板(14,16)及び底面板(17)を連設した内枠体(2)とを、連結片(22)を介して連結し、外枠体(1)と内枠体(2)とを、巻き込むように折り曲げつつ、連結片(22)の斜折線(23)を軸に相対回転させ、外前面板(3)と内前面板(13)とを段目が交差するように重ねて前壁(24)を構成し、前壁(24)の背後に底面板(17)が位置すると共に、底面板(17)の背後に背面板(6)が位置するように保形した段ボール製スペーサーにおいて、前記連結片(22)を、背面板(6)と内前面板(13)とを繋ぎ、外枠体(1)と内枠体(2)の側縁に対して傾斜した２本の斜折線(23)に挟まれたものとしたことを特徴とする段ボール製スペーサー。
【請求項２】
前記背面板(6)と底面板(17)との間隔を、その一方から切り起した折曲片(10)の先端側の凸部を他方の係合穴(20)に係合させることにより保持するようにしたことを特徴とする請求項１に記載の段ボール製スペーサー。
【発明の詳細な説明】
【技術分野】
【０００１】
この発明は、物品を梱包する際に使用する段ボール製スペーサーに関するものである。
【背景技術】
【０００２】
従来、下記特許文献１には、家電製品等の物品の梱包時に使用する段ボール製緩衝材として、図９乃至図１１に示すようなものが記載されている。この緩衝材は、図９に示すように、外枠体５１と内枠体５２とが連結されたブランクから組み立てられる。
【０００３】
外枠体５１は、外前面板５３の一側に側面板５４、背面板５５、起立板５６及び重合板５７を、他側に側面板５８、背面板５９、起立板６０、重合板６１、内側板６２及び巻込板６３をそれぞれ順次連設し、外前面板５３に形成した開口部６４の周囲に多数の折曲片６５を設け、背面板５５に差込片６６を突設し、起立板６０及び重合板６１に差込穴６７を設けたものとされている。
【０００４】
内枠体５２は、内前面板６８の一側に端面板６９及び底面板７０を、他側に端面板７１及び底面板７２をそれぞれ順次連設し、内前面板６８に開口部７３を形成し、底面板７０の先端に先広がりの突片７４を設け、底面板７２の先端に突片７４が係合する切欠部７５を設けたものとされている。
【０００５】
外前面板５３と内前面板６８とは、連結片７６を介して繋がれ、これにより、外枠体５１と内枠体５２とが連結されている。連結片７６は、外前面板５３の角を二等分する斜折線７７と、内前面板６８の境界に入れた側折線７８とに挟まれ、外前面板５３の側縁からの切込により三角形状とされている。
【０００６】
このようなブランクを組み立てるには、図１０に示すように、内前面板６８から端面板６９，７１を起こし、底面板７０，７２を内側へ折り曲げ、突片７４を切欠部７５に係合させて、内枠体５２を角筒状に形成し、斜折線７７及び側折線７８を軸として連結片７６を折り込むことにより、内枠体５２を外枠体５１に対し回転させる。
【０００７】
そして、図１１に示すように、外前面板５３と内前面板６８とを段目が交差するように重ね合わせて、前壁７９を構成すると共に、開口部６４，７３を一致させて、被梱包物の嵌合口８０を形成し、折曲片６５を内側へ折り曲げる。このような構成により、嵌合口８０の周縁は、いずれの方向へも裂けにくくなる。
【０００８】
また、側面板５４、背面板５５、起立板５６及び重合板５７と、側面板５８、背面板５９、起立板６０、重合板６１、内側板６２及び巻込板６３とを巻き込み、底面板７０、７２に重合板５７、６１を重ね合わせる。その後、差込片６６を差込穴６７に差し込むと、底面板７０，７２の背面側が筒状構造により補強された緩衝材が完成する。
【先行技術文献】
【特許文献】
【０００９】
【特許文献１】特開平１０−２１１９２５号公報
【発明の概要】
【発明が解決しようとする課題】
【００１０】
ところで、上記のような段ボール製緩衝材は、被梱包物を大きな衝撃や振動から保護することができるが、材料の使用面積が大きいという問題がある。
【００１１】
そこで、この発明は、被梱包物と外装箱の間に間隔を設けるスペーサーを、少ない材料で構成することを課題とする。
【課題を解決するための手段】
【００１２】
上記課題を解決するため、この発明は、外前面板、側面板及び背面板を連設した外枠体と、内前面板、端面板及び底面板を連設した内枠体とを、連結片を介して連結し、外枠体と内枠体とを、巻き込むように折り曲げつつ、連結片の斜折線を軸に相対回転させ、外前面板と内前面板とを段目が交差するように重ねて前壁を構成し、前壁の背後に底面板が位置すると共に、底面板の背後に背面板が位置するように保形した段ボール製スペーサーにおいて、前記連結片を、背面板と内前面板とを繋ぎ、外枠体と内枠体の側縁に対して傾斜した２本の斜折線に挟まれたものとしたのである。
【００１３】
また、前記背面板と底面板との間隔を、その一方から切り起した折曲片の先端側の凸部を他方の係合穴に係合させることにより保持するようにしたのである。
【発明の効果】
【００１４】
この発明に係る段ボール製スペーサーでは、外枠体と内枠体とを、重なり合う外前面板と内前面板を繋いで連結するのではなく、２本の斜折線に挟まれた連結片を介して内前面板と背面板とを繋ぎ、斜折線の間隔を調整して、前壁と背面板との距離を適宜設定できるように連結しているので、巻込部分の少ない簡単な構造とすることができ、材料の使用面積を削減できる。
【図面の簡単な説明】
【００１５】
【図１】この発明の第１実施形態に係る段ボール製スペーサーのブランクを示す図
【図２】同上の組立過程を示す斜視図
【図３】同上の組立過程を示す斜視図
【図４】同上の組立状態を示す斜視図
【図５】この発明の第２実施形態に係る段ボール製スペーサーのブランクを示す図
【図６】同上の組立過程を示す斜視図
【図７】同上の組立過程を示す斜視図
【図８】同上の組立状態を示す斜視図
【図９】従来の段ボール製緩衝材のブランクを示す図
【図１０】同上の組立過程を示す斜視図
【図１１】同上の組立状態を示す斜視図
【発明を実施するための形態】
【００１６】
まず、この発明の第１実施形態を図１乃至図４に基づいて説明する。
【００１７】
この段ボール製スペーサーは、ワイングラス等の梱包に際し、被梱包物と外装箱との間隔を保持するために使用するものであり、図１に示すように、外枠体１と内枠体２とが連結されたブランクから組み立てられる。
【００１８】
このブランクにおいて、外枠体１は、外前面板３の一側に側面板４を連設すると共に、他側に側面板５、背面板６及び内側板７を順次連設し、外前面板３に形成した方形状の開口部８の対向辺に折曲片９を設け、背面板６を切り込んで一対の折曲片１０を設け、側面板４の先端に差込片１１を突設し、内側板７に背面板６との境界に沿って差込穴１２を設けたものとされている。
【００１９】
内枠体２は、内前面板１３の一側に端面板１４及び背重板１５を、他側に端面板１６及び底面板１７をそれぞれ順次連設し、内前面板１３に形成した方形状の開口部１８の対向辺に折曲片１９を設け、底面板１７に折曲片１０，１９がそれぞれ係合する係合穴２０，２１を設けたものとされている。
【００２０】
背面板６と内前面板１３とは、連結片２２を介して繋がれ、これにより、外枠体１と内枠体２とが連結されている。連結片２２は、外枠体１と内枠体２の側縁に対して４５°傾斜した平行な２本の斜折線２３に挟まれ、斜折線２３に対し直角方向に切込を入れて両側縁が形成されている。
【００２１】
このブランクを組み立てるには、図２に示すように、内枠体２を巻き込むように折り曲げ、連結片２２を挟む２本の斜折線２３を軸として、連結片２２と背面板６及び内前面板１３との境界を折り曲げることにより、外枠体１と内枠体２とを相対回転させ、外枠体１を巻き込むように折り曲げる。
【００２２】
そして、図３に示すように、内前面板１３の裏側に間隔をあけて底面板１７が対向し、底面板１７の裏側に間隔をあけて背面板６が対向した状態で、背面板６から押し込んだ折曲片１０の凸部を底面板１７の係合穴２０に係合させ、内前面板１３から押し込んだ折曲片１９の凸部を底面板１７の係合穴２１に係合させる。
【００２３】
このとき、折曲片１０により、背面板６と底面板１７の間隔が保持される。なお、折曲片１０を底面板１７から切り起こし、係合穴２０を背面板６に設けるようにしてもよい。
【００２４】
その後、図４に示すように、外前面板３と内前面板１３とを段目が交差するように重ねて前壁２４を構成し、外前面板３と内前面板１３の開口部８，１８を一致させて、前壁２４に被梱包物を嵌め込む嵌合口２５を形成する。
【００２５】
最後に、外前面板３から押し込んだ折曲片９の凸部を底面板１７の係合穴２０に係合させ、側面板４を内側板７の外側に重ねて、差込片１１を差込穴１２に差し込む。
【００２６】
上記のような段ボール製スペーサーでは、外枠体１と内枠体２とを、重なり合う外前面板３と内前面板１３を繋いで連結するのではなく、２本の斜折線２３に挟まれた連結片２２を介して内前面板１３と背面板６とを繋ぎ、斜折線２３の間隔を調整して、前壁２４と背面板６との距離を適宜設定できるように連結しているので、巻込部分の少ない簡単な構造とすることができ、材料の使用面積を削減できる。
【００２７】
次に、この発明の第２実施形態を図５乃至図８に基づいて説明する。この段ボール製スペーサーは、図９乃至図１１に示した緩衝材と同様の被梱包物に対応して、上記構成を適用したものである。
【００２８】
この段ボール製スペーサーでは、図５に示すブランクにおいて、外枠体１を、従来の緩衝材の図９に示すブランクよりも短縮して、材料の使用面積を削減することができる。
【００２９】
そして、図６及び図７に示す過程を経て、図８に示す状態に組み立てると、嵌合口２５に嵌め込んだ被梱包物を、外装箱内の所定の位置に保持することができ、あまり緩衝性を要求されない梱包に使用することができる。
【００３０】
なお、上記各実施形態の図面では、前壁２４が水平となるように、スペーサーを平置きにした状態を例示したが、複数個のスペーサーを、前壁２４が直立するように縦置きにして対向させ、これらのスペーサーの嵌合口２５に被梱包物の両端部を嵌め込んで支持するようにしてもよい。
【００３１】
また、上記各実施形態では、２本の斜折線２３が外枠体１と内枠体２の側縁に対して４５°傾斜して平行となったものを例示したが、この角度を他の大きさに変更したり、平行でない方向へ延びるようにすることにより、外前面板３と内前面板１３の交差角度の異なる様々なスペーサーを構成することができる。
【符号の説明】
【００３２】
１  外枠体
２  内枠体
３  外前面板
４，５  側面板
６  背面板
７  内側板
８  開口部
９，１０  折曲片
１１  差込片
１２  差込穴
１３  内前面板
１４  端面板
１５  背重板
１６  端面板
１７  底面板
１８  開口部
１９  折曲片
２０，２１  係合穴
２２  連結片
２３  斜折線
２４  前壁
２５  嵌合口
【図１】
2012214247.tif 000003
【図２】
2012214247.tif 000004
【図３】
2012214247.tif 000005
【図４】
2012214247.tif 000006
【図５】
2012214247.tif 000007
【図６】
2012214247.tif 000008
【図７】
2012214247.tif 000009
【図８】
2012214247.tif 000010
【図９】
2012214247.tif 000011
【図１０】
2012214247.tif 000012
【図１１】
2012214247.tif 000013